(57)【要約】      （修正有）【課題】誰でも簡単に片手でも操作できるクラッカー発射装置を提供する。【解決手段】一端部と他端部とが開口されて成る筒状本体内に着脱式のクラッカーを装填し、クラッカーの引き紐を引張り操作することにより、クラッカー内の火薬体を爆発させて飛散物を外方に発射させるクラッカー発射装置であって、筒状本体１２と、その一端部１８ａから他端部側１８ｂへ所定間隔だけ離間した位置において、筒状本体の内側面に周設されたクラッカーストッパー１４と、それよりも他端部側に位置するとともに、クラッカーの引き紐２２を引掛け可能であり、筒状本体の一端部から他端部へ、および他端部から一端部へ相互方向に移動可能な引金部材３０と、引金部材よりも他端部側に設けられ、筒状本体の断面方向に延設固定された固定バー１６と、を備え、引金部材および固定バーが、筒状本体内に収まるように配設される。【選択図】図４
0003184912.tif 000002
【実用新案登録請求の範囲】
【請求項１】
一端部と他端部とが開口されて成る筒状本体内に着脱式のクラッカーを装填し、前記クラッカーの引き紐を引張り操作することにより、前記クラッカー内の火薬体を爆発させて飛散物を外方に発射させるクラッカー発射装置であって、
前記クラッカー発射装置は、
前記一端部と他端部とが開口されて成る筒状本体と、
前記筒状本体の一端部から他端部側へ所定間隔だけ離間した位置において、前記筒状本体の内側面に周設されたクラッカーストッパーと、
前記クラッカーストッパーよりも他端部側に位置するとともに、前記クラッカーの引き紐を引掛け可能であり、前記筒状本体の一端部から他端部および他端部から一端部の相互方向に移動可能に構成された引金部材と、
前記引金部材よりも他端部側に設けられ、前記筒状本体の断面方向に延設固定された固定バーと、
を少なくとも備え、
前記引金部材および前記固定バーが、前記筒状本体内に収まるように配設されていることを特徴とするクラッカー発射装置。
【請求項２】
前記筒状本体は、少なくとも前記固定バーよりも他端部側に径外周方向に拡開したスカート状部を有することを特徴とする請求項１に記載のクラッカー発射装置。
【請求項３】
前記筒状本体，クラッカーストッパー，引金部材，固定バーの材質が、ボール紙であることを特徴とする請求項１または２に記載のクラッカー発射装置。
【考案の詳細な説明】
【技術分野】
【０００１】
本考案は、クラッカーを繰り返し装填して用いることのできるクラッカー発射装置に関する。
【背景技術】
【０００２】
従来より簡素な外観のクラッカーを、例えばワインボトルやバズーカーなどを模した筒状本体に装填して発射するようにしたクラッカー発射装置が知られている。
このようなクラッカー発射装置を用いると、単にクラッカーを発射するよりも、さらに演出効果が高めることができるため、例えば各種パーティーや宴会において好適に用いられている。
【０００３】
例えば特許文献１においては、バズーカ式のクラッカー発射装置１００が開示されており、このバズーカ式のクラッカー発射装置１００は、図６に示したようにバズーカ状の筒状本体１０２に連射クラッカー体１０４を装着し、この筒状本体１０２を肩に担いで連射クラッカー体１０４の引き紐１０６が引掛けられた引金部材１０８を操作することで、あたかもバズーカを発射するかの如く、連射クラッカー体１０４を迫力十分に発射することができるようになっている。
【先行技術文献】
【特許文献】
【０００４】
【特許文献１】実用新案登録第２６０５４６７号公報
【考案の概要】
【考案が解決しようとする課題】
【０００５】
ところで、特許文献１に開示されたバズーカ式のクラッカー発射装置１００は、筒状本体１０２が大きく、また肩に担いで使用することを前提としたものであるため、両手を使って筒状本体１０２を支える必要があり、体の小さな子供や女性には扱い辛いものであった。
【０００６】
また各種パーティーや宴会ではカメラを操作する機会が多く有るが、このようなバズーカ式のクラッカー発射装置１００で両手が塞がってしまうとカメラの操作が出来なくなってしまうため、敬遠されてしまう場合もあるのが実情である。
【０００７】
本考案はこのような現状に鑑み、誰でも簡単に操作ができ、また片手のみで操作することが可能なクラッカー発射装置を提供することを目的とする。
【課題を解決するための手段】
【０００８】
本考案は、前述したような従来技術における問題点を解決するために考案されたものであって、
本考案のクラッカー発射装置は、
一端部と他端部とが開口されて成る筒状本体内に着脱式のクラッカーを装填し、前記クラッカーの引き紐を引張り操作することにより、前記クラッカー内の火薬体を爆発させて飛散物を外方に発射させるクラッカー発射装置であって、
前記クラッカー発射装置は、
前記一端部と他端部とが開口されて成る筒状本体と、
前記筒状本体の一端部から他端部側へ所定間隔だけ離間した位置において、前記筒状本体の内側面に周設されたクラッカーストッパーと、
前記クラッカーストッパーよりも他端部側に位置するとともに、前記クラッカーの引き紐を引掛け可能であり、前記筒状本体の一端部から他端部および他端部から一端部の相互方向に移動可能に構成された引金部材と、
前記引金部材よりも他端部側に設けられ、前記筒状本体の断面方向に延設固定された固定バーと、
を少なくとも備え、
前記引金部材および前記固定バーが、前記筒状本体内に収まるように配設されていることを特徴とする。
このように構成すれば、筒状本体内に片手を入れ、固定バーに対して引金部材を引くだけで、誰でも簡単に操作ができ、また片手で簡単に操作することができる。
【０００９】
また、本考案のクラッカー発射装置は、
前記筒状本体は、少なくとも前記固定バーよりも他端部側に径外周方向に拡開したスカート状部を有することを特徴とする。
【００１０】
このようにスカート状部を有していれば、固定バーに対して引金部材を引く際に、このスカート状部に腕が支持されることとなるため、片手での操作がよりし易くなり、体の小さな子供や女性であっても簡単に操作することができる。
【００１１】
また、本考案のクラッカー発射装置は、
前記筒状本体，クラッカーストッパー，引金部材，固定バーの材質が、ボール紙であることを特徴とする。
【００１２】
このような材質であれば、高強度であるとともに加工がし易く、しかも廃棄の際に処理がし易く好ましい。
【考案の効果】
【００１３】
本考案によれば、筒状本体内に操作に必要な部材を配設したので、筒状本体内に片手を入れ、固定バーに対して引金部材を引くだけで、誰でも簡単に操作ができ、片手のみで操作することが可能なクラッカー発射装置を提供することができる。
【図面の簡単な説明】
【００１４】
【図１】図１は、本考案のクラッカー発射装置にクラッカーを装填した状態を示した斜視図である。
【図２】図２は、本考案のクラッカー発射装置にクラッカーを装填した状態における内部構造を一部可視化して示した斜視図である。
【図３】図３は、本考案のクラッカー発射装置にクラッカーを装填する前の状態を示した概略断面図である。
【図４】図４は、本考案のクラッカー発射装置にクラッカーを装填した状態を示した概略断面図である。
【図５】図５は、本考案のクラッカー発射装置に装填したクラッカーの引き紐を引いた状態を一部可視化して示した斜視図である。
【図６】図６は、従来のクラッカー発射装置の内部構造を一部可視化して示した斜視図である。
【考案を実施するための形態】
【００１５】
以下、本考案の実施の形態について、図面に基づいてより詳細に説明する。
本考案は、クラッカーを筒状本体内に繰り返し装填して用いることのできるクラッカー発射装置に関するものである。
【００１６】
＜クラッカー発射装置１０＞
図１および図２に示したように、本考案のクラッカー発射装置１０は、一端部（図面では左側端部）１８ａと他端部（図面では右側端部）１８ｂとが開口されて成る筒状本体１２内に、着脱式のクラッカー２０を装填し、このクラッカー２０の引き紐２２を引張り操作することにより、クラッカー２０内の火薬体を爆発させて飛散物２４を外方に発射させるよう構成されている。
【００１７】
そして詳しくは、まず筒状本体１２の一端部１８ａから他端部１８ｂ側へ所定間隔だけ離間した位置において、筒状本体１２の内側面にクラッカーストッパー１４が周設されている。このクラッカーストッパー１４によって、筒状本体１２の一端部１８ａからクラッカー２０を装填した際に、クラッカー２０が他端部１８ｂ側に抜け落ち無いように指示することができる。
【００１８】
また、このクラッカーストッパー１４よりも他端部１８ｂ側には、クラッカー２０の引き紐２２を引掛け可能であり、筒状本体１２の一端部１８ａから他端部１８ｂおよび他端部１８ｂから一端部１８ａの相互方向に移動可能に構成された引金部材３０が設けられている。
【００１９】
引金部材３０は、引き紐２２の紐掛け部３４と指掛け部３２からなるものであり、紐掛け部３４と連続して他端部１８ｂ側に指掛け部３２が設けられている。
なお、引金部材３０の紐掛け部３４にクラッカー２０の引き紐２２を引掛ける際には、筒状本体１２の側面に設けられた操作口２６から操作することができる。操作口２６の位置は、引き紐２２を操作して紐掛け部３４に引掛け易い位置に設ければ良く、例えば筒状本体１２の略中央側面に設けられていることが好ましい。
【００２０】
そして、このような引金部材３０よりもさらに他端部１８ｂ側には、筒状本体１２の断面方向に固定バー１６が延設固定されている。図面では上下の方向に固定バー１６が設けられ、これは筒状本体１２に固定されて可動しないようになっている。
【００２１】
本考案のクラッカー発射装置１０においては、特にこれら引金部材３０および固定バー１６が、筒状本体１２内に収まるように配設されているため、筒状本体１２内に片手を入れ、固定バー１６に対して引金部材３０を引くだけで、誰でも簡単に操作ができ、また片手で簡単に操作することができる。
【００２２】
なお、クラッカー発射装置１０は、筒状本体１２の他端部１８ｂ側にスカート状部１２ａを設けることが好ましく、これにより、クラッカー発射装置１０を操作する際に、このスカート状部１２ａに腕４２が支持され、片手での操作がよりし易くなり、体の小さな子供や女性であっても簡単に操作することができるようになっている。
【００２３】
ここでクラッカー発射装置１０を構成する筒状本体１２，クラッカーストッパー１４，引金部材３０，固定バー１６の材質は、繰り返し使用しても壊れないだけの強度を有すれば如何なるものであっても良いが、高強度であるとともに加工がし易く、しかも廃棄の際に処理のし易いボール紙を用いることが好ましい。場合によっては、各部材で材質を変えても特に問題は無く、適宜組合せは選択可能なものである。
さらに筒状本体１２は、その外側面にデザインを付してあっても良く、例えばワインボトルを模したりすることができるものであり、限定されないものである。
【００２４】
＜クラッカー発射装置１０の操作方法＞
次いで、本考案のクラッカー発射装置１０の操作方法について説明する。
まず、図３に示したように、筒状本体１２の一端部１８ａに、クラッカー２０を装填する準備を行う。
【００２５】
次いで図４に示したように、筒状本体１２の一端部１８ａに、引き紐２２側からクラッカー２０を挿入し、クラッカーストッパー１４にクラッカー２０が当接する位置までクラッカー２０を移動させ、さらに筒状本体１２の外側から操作口２６を介して引き紐２２を引金部材３０の紐掛け部３４に引掛ける。
【００２６】
さらに図５に示したように、筒状本体１２の他端部１８ｂから腕４２を挿入し、内部の引金部材３０に指を引掛けて固定バー１６とともに手４０で握ると、固定バー１６を支点に、引金部材３０が固定バー１６側に移動し、これにより引き紐２２が他端部１８ｂ側に引かれてクラッカー２０内の火薬体が爆発し、これにより飛散物２４が筒状本体１２の一端部１８ａ側から外方に発射されることとなる。
【００２７】
なお、クラッカー発射装置１０は、筒状本体１２の他端部１８ｂ側にスカート状部１２ａを設けることが好ましく、これにより、クラッカー発射装置１０を操作する際に、このスカート状部１２ａに腕４２が支持されることとなるため、片手での操作がよりし易くなり、体の小さな子供や女性であっても簡単に操作することができるようになっている。
【００２８】
また、クラッカー発射装置１０は繰り返し使用可能なものであり、新たにクラッカー２０を用意して図３から図５の工程を経れば、再びクラッカー２０から飛散物２４を発射させることができる。したがって、クラッカー２０部分だけを購入して再使用ができ、経済的である。
【００２９】
以上、本考案のクラッカー発射装置について説明したが、本考案は上記の実施形態に限定されるものではなく、本考案の目的を逸脱しない範囲で種々の変更が可能なものである。
【符号の説明】
【００３０】
１０・・・クラッカー発射装置
１２・・・筒状本体
１２ａ・・スカート状部
１４・・・クラッカーストッパー
１６・・・固定バー
１８ａ・・一端部
１８ｂ・・他端部
２０・・・クラッカー
２２・・・引き紐
２４・・・飛散物
２６・・・操作口
３０・・・引金部材
３２・・・指掛け部
３４・・・紐掛け部
４０・・・手
４２・・・腕
１００・・・クラッカー発射装置
１０２・・・筒状本体
１０４・・・連射クラッカー体
１０６・・・引き紐
１０８・・・引金部材
【図１】
0003184912.tif 000003
【図２】
0003184912.tif 000004
【図３】
0003184912.tif 000005
【図４】
0003184912.tif 000006
【図５】
0003184912.tif 000007
【図６】
0003184912.tif 000008